(57)【特許請求の範囲】
【請求項１】
物体側から順に、負の屈折力を有する第１レンズと、正の屈折力を有する第２レンズと、絞りと、正の屈折力を有する第３レンズ群からなり、
前記第１レンズが、物体側に凸面を向けたメニスカス形状の１枚の負レンズからなり、第２レンズが、１枚の正レンズからなり、第３レンズ群が、最も像側のレンズを像側の面に比して物体側の面で強い屈折力を有する正レンズとし、
前記第１レンズの負レンズの少なくとも１面が、非球面であり,
以下の条件式を満たすことを特徴とする赤外線用光学系。
-0．86  ≦  ｆ1/ｆ2  ≦  -0.24  ・・・・・・・・・・・（１）
ただし、
f1：第1レンズの焦点距離
f2：第2レンズの焦点距離
【請求項２】
前記第１レンズの負レンズが、以下の条件式を満たすことを特徴とする請求項１に記載の赤外線用光学系。
1.4  ≦  R /ｆ  ≦  4.0  ・・・（２）
ただし、
R：第1レンズの負レンズの像側の面の曲率半径
f：全系の焦点距離
【請求項３】
全てのレンズが、ゲルマニウムからなることを特徴とする請求項１又は２に記載の赤外線用光学系。
【発明の詳細な説明】
【技術分野】
【０００１】
本発明は、赤外線用光学系、さらに詳しくは、赤外線撮像装置等に用いる広角の赤外線用光学系に関する。ここで、赤外線とは、波長が３μm〜５μmの中赤外線、及び波長が８μm〜１４μmの遠赤外線を含む放射である。
【背景技術】
【０００２】
従来の赤外線用光学系は、広角化されたものが増えてきており、中でも負レンズ群先行タイプ、すなわち物体側第１レンズ群を負にしたものが多く提案されている。広角化した場合、焦点距離が短くなり、バックフォーカスが短くなる傾向がある。そのため、必要なバックフォーカスを確保するために、有利な前記負レンズ群先行タイプが用いられているのである。
【０００３】
従来の赤外線用光学系としては、物体側から順に、少なくとも１枚の物体側に凸面を向けた負メニスカスレンズＬ１１を含む負の屈折力を有する第一レンズ群Ｇ１と、正の屈折力を有する第二レンズ群Ｇ２とから構成され、所定の条件式を満足するものが提案されている（例えば、特許文献１参照）。
【０００４】
この赤外線用光学系は、負レンズ群先行タイプであり、FNo.が１．２、画角が６６°であるが、絞りを最も像側に配置しており、物体側第１レンズの直径が大きい問題がある。
【０００５】
従来の他の赤外線用光学系としては、物体側に凸面を向けた負のメニスカスレンズからなる第１レンズＬ１と正の屈折力を持つ第２レンズＬ２とで構成された負の第１レンズ群Ｇ１と、像側に凸面を向けた正のメニスカスレンズからなる第３レンズＬ３と物体側に凸面を向けた正のメニスカスレンズからなる第４レンズＬ４とで構成された正の第２レンズ群Ｇ２とを備え、所定の条件を満足するものが提案されている（例えば、特許文献２参照）。
【０００６】
この赤外線用光学系は、負レンズ群先行タイプであり、FNo.が１．０、画角が３９°であるが、絞りを最も像側のレンズ群と結像位置の間に配置し、また像側に近い２枚の負レンズと正レンズの形状から前記像側に近い２枚のレンズによって軸外光線を大きく曲げることとなり、軸外光線の収差が大きく補正が困難である問題がある。従って、更に広角化しようとすると軸外光線の収差の補正が実際上極めて困難となる。また、絞りを最も像側のレンズ群と結像位置の間に配置したことにより、物体側第１レンズの直径が大きくなる問題がある。
【０００７】
従来の他の赤外線用光学系としては、物体側より順に、負の屈折力を有する第１群と、該第１群と所定の間隔をあけて配置された正の屈折力を有する第２群とを備え、前記第１群は、物体側に凸面を向けた１枚の負メニスカスレンズで構成され、前記第２群は、物体側より順に正屈折力の第１レンズ、負屈折力の第２レンズ及び正屈折力の第３レンズの３枚のレンズで構成されており、所定の条件を満たすものが提案されている（例えば、特許文献３参照）。
【０００８】
この赤外線用光学系は、負レンズ群先行タイプであり、FNo.が１．２、画角が３７°である。レンズ構成は、物体側から順に負レンズ群、正レンズ群、絞り、負レンズ群、正レンズ群であり、絞りを最も像側の正レンズ群と結像位置の間に配置せず、４レンズ群の中央位置に配置している。そのため、広角化しても物体側第１レンズの直径が大きくなることはないが、ペッツバール和が大きいため、さらに広角化した場合像面の平面性を保つことが困難である問題がある。
【先行技術文献】
【特許文献】
【０００９】
【特許文献１】特開２００２−１９６２３３号公報
【特許文献２】特開２００５−１７３３４６号公報
【特許文献３】特許第３７２４５２０号公報
【発明の概要】
【発明が解決しようとする課題】
【００１０】
本発明は、赤外線用光学系に関する先行技術の上述した問題点に鑑みてなされたものであって、広角であってもコンパクトで、またペッツバール和も大きくなく、バランス良く良好に収差補正された赤外線用光学系を提供することを目的とする。
【課題を解決するための手段】
【００１１】
本発明は、
物体側から順に、負の屈折力を有する第１レンズ群と、正の屈折力を有する第２レンズ群と、絞りと、正の屈折力を有する第３レンズ群からなり、
以下の条件式を満たすことを特徴とする赤外線用光学系。
-0．86  ≦  ｆ1/ｆ2  ≦  -0.24  ・・・・・・・・・・・（１）
ただし、
f1：第1レンズ群の焦点距離
f2：第2レンズ群の焦点距離
である。
【００１２】
条件式（１）に関し、好ましくは、
-0．81  ≦  ｆ1/ｆ2  ≦  -0.52  ・・・・・・・・・・・（１'）
である。
【発明の効果】
【００１３】
本発明の赤外線用光学系によれば、絞りをレンズ系の中間位置に配置することによって、広角にしても軸外光線が各レンズの低いところを通過するようにし、各面における軸外収差の発生量を抑えて軸外収差の補正を容易にするとともに、レンズの直径が大きくなることを防いで  コンパクトな赤外線用光学系を実現できる。
本発明の赤外線用光学系によればまた、ペッツバール和の増大を抑制しているので、広角化に際して問題となる像面の平面性を保ち易くすることができる。
条件式（１）の下限を下回ると、ペッツバール和が大きくなり、像面を平面に保つのが難しく、広角化が困難になる。条件式（１）の上限を上回ると、第１レンズ群で光線が強く発散され、第２レンズ群の直径が大きくなる。
【００１４】
本発明の実施態様及びその効果は以下の通りである。
（実施態様１）
前記本発明の構成において、前記第１レンズ群が、物体側に凸面を向けたメニスカス形状の１枚の負レンズからなり、第２レンズ群が、１枚の正レンズからなり、第３レンズ群が、最も像側のレンズを像側の面に比して物体側の面で強い屈折力を有する正レンズにしたことを特徴とする。
この構成により、簡易なレンズ構成で上述した本発明の効果を得ることができ、優れた結像性能を得ることができる。
【００１５】
（実施態様２）
前記本発明の構成において、前記第１レンズ群の負レンズの少なくとも１面が、非球面であることを特徴とする。
【００１６】
（実施態様３）
前記本発明の構成において、前記第１レンズ群の負レンズが、以下の条件式を満たすことを特徴とする。
1.4  ≦  R /ｆ  ≦  4.0  ・・・・・・・・・・・・・・（２）
ただし、
R：第1レンズ群の負レンズの像側の面の曲率半径
f：全系の焦点距離
条件式（２）の上限を上回ると、球面収差及び非点収差が補正過剰となる。条件式（２）の下限を下回ると、球面収差及び非点収差が補正不足となる。
【００１７】
条件式（２）に関し、好ましくは、
1.5  ≦  R /ｆ  ≦  2.3  ・・・・・・・・・・・・・・（２'）
である。
【００１８】
（実施態様４）
前記本発明の構成において、全てのレンズが、ゲルマニウムからなることを特徴とする。
全てのレンズが、屈折率が高く、色分散特性に優れたガラス材料であるゲルマニウムを使用することにより、カルコゲナイト等他のガラス材料を使用する場合に比較して、球面収差や色収差を抑制し易いという効果を得ることができる。
【図面の簡単な説明】
【００１９】
【図１】本発明の第１実施形態の赤外線用光学系の光学断面図である。
【図２】本発明の第１実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図３】本発明の第２実施形態の赤外線用光学系の光学断面図である。
【図４】本発明の第２実施形態の赤外線用光学系の収差図であり、（ａ）は球面収差差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図５】本発明の第３実施形態の赤外線用光学系の光学断面図である。
【図６】本発明の第３実施形態の赤外線用光学系の収差図であり、（ａ）は球面収差差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図７】本発明の第４実施形態の赤外線用光学系の光学断面図である。
【図８】本発明の第４実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図９】本発明の第５実施形態の赤外線用光学系の光学断面図である。
【図１０】本発明の第５実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図１１】本発明の第６実施形態の赤外線用光学系の光学断面図である。
【図１２】本発明の第６実施形態の赤外線用光学系の収差図であり、（ａ）は球面収差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図１３】本発明の第７実施形態の赤外線用光学系の光学断面図である。
【図１４】本発明の第７実施形態の赤外線用光学系の収差図であり、（ａ）は球面収差差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図１５】本発明の第８実施形態の赤外線用光学系の光学断面図である。
【図１６】本発明の第８実施形態の赤外線用光学系の球面収差図であり、（ａ）は球面収差差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図１７】本発明の第９実施形態の赤外線用光学系の光学断面図である。
【図１８】本発明の第９実施形態の赤外線用光学系の球面収差図であり、（ａ）は球面収差差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【図１９】本発明の第１０実施形態の赤外線用光学系の光学断面図である。
【図２０】本発明の第１０実施形態の赤外線用光学系の球面収差図であり、（ａ）は球面収差図、（ｂ）は非点収差図、（ｃ）は歪曲収差図である。球面収差図（ａ）において、８，１０，１４はそれぞれ波長８μm、１０μm、１４μmの球面収差を示す。非点収差図（ｂ）において、Ｓは波長１０μmのサジタル方向の非点収差を示し、Ｍは波長１０μmのメリジオナル方向の非点収差を示す。
【発明を実施するための形態】
【００２０】
以下に、本発明の赤外線レンズの実施形態のレンズデータ等を示す。波長は、１０μｍである。
以下の実施形態の説明において、非球面形状は、光軸に垂直方向の座標をH、面頂点を原点としたときの高さHにおける光軸方向の変位量をX(H)、近軸曲率半径をR、円錐係数をε、２次の非球面係数A，４次の非球面係数B，６次の非球面係数C，８次の非球面係数D，１０次の非球面係数Eとしたとき、次の式で表される。
【数１】
0005993604.tif 000002
【００２１】
（第１実施形態）
焦点距離 : f = 6.9mm(λ=10μm)
FNo = 1.0
画角（2ω）= 100°
【００２２】
第１実施形態の赤外線用光学系の光学緒元値は以下の通りである。
面番号   曲率半径  面間隔   光学材料    屈折率
1    40.1765    1.20     Ge         4.0064
*2    15.4354   11.60                1.0000
3  -207.4141    1.75     Ge         4.0064
4   -46.7201    3.87                1.0000
(絞り)5     INF      15.05                1.0000
6    39.0409    1.53     Ge         4.0064
*7   178.6134   14.27                1.0000
8     INF       1.00     Ge         4.0064
9     INF       1.00                1.0000
【００２３】
面番号*2及び*7は、以下の非球面係数をもつ非球面である。
ε        A            B            C             D             E
面2  0.2940 0.00000E+000 4.57628E-005 4.84668E-008  3.57032E-009 -3.51591E-011
面7  1.0000 0.00000E+000 5.65914E-006 8.19144E-009 -1.84179E-010  8.70399E-013
【００２４】
第１実施形態の赤外線用光学系の本発明の条件式の値は以下の通りである。
ｆ1/ｆ2＝-0.43
R /ｆ＝ 2.22
【００２５】
（第２実施形態）
焦点距離 : f = 7.6mm(λ=10μm)
FNo = 1.0
画角（2ω）= 100°
【００２６】
第１実施形態の赤外線用光学系の光学緒元値は以下の通りである。
面番号   曲率半径  面間隔   光学材料    屈折率
1   214.3044    1.37     Ge         4.0064
*2    27.7776   13.79                1.0000
3  -662.9003    1.99     Ge         4.0064
4   -65.9870    0.73                1.0000
(絞り)5     INF      17.12                1.0000
6    32.4339    1.74     Ge         4.0064
*7    78.4177   15.58                1.0000
8     INF       1.00     Ge         4.0064
9     INF       1.00                1.0000
【００２７】
面番号*2及び*7は、以下の非球面係数をもつ非球面である。
ε        A            B             C            D             E
面2  0.9885 0.00000E+000 2.60590E-005 -1.92490E-009 3.80167E-009 -2.87487E-011
面7  1.0000 0.00000E+000 4.24046E-006 -1.40713E-008 1.50205E-010 -5.86114E-013
【００２８】
第２実施形態の赤外線用光学系の本発明の条件式の値は以下の通りである。
ｆ1/ｆ2＝-0.44
R /ｆ＝ 3.63
【００２９】
（第３実施形態）
焦点距離 : f = 7.1mm(λ=10μm)
FNo = 1.0
画角（2ω）= 100°
【００３０】
第３実施形態の赤外線用光学系の光学緒元値は以下の通りである。
面番号   曲率半径  面間隔   光学材料    屈折率
1    22.0392    1.27     Ge         4.0064
*2    13.1631   13.59                1.0000
3  -125.1731    1.85     Ge         4.0064
4   -64.5494    3.60                1.0000
(絞り)5     INF      12.99                1.0000
6    46.5172    1.80     Ge         4.0064
*7 -7581.1024   17.22                1.0000
8     INF       1.00     Ge         4.0064
9     INF       1.00                1.0000
【００３１】
面番号*2及び*7は、以下の非球面係数をもつ非球面である。
ε        A            B             C            D            E
面2  0.2274 0.00000E+000 6.42274E-005  3.00770E-007 4.69438E-010 3.83618E-011
面7  1.0000 0.00000E+000 5.20223E-006 -6.51261E-009 6.21296E-012 3.64432E-014
【００３２】
第３実施形態の赤外線用光学系の本発明の条件式の値は以下の通りである。
ｆ1/ｆ2＝-0.28
R /ｆ＝ 1.86
【００３３】
（第４実施形態）
焦点距離 : f = 6.9mm(λ=10μm)
FNo = 1.0
画角（2ω）= 100°
【００３４】
第４実施形態の赤外線用光学系の光学緒元値は以下の通りである。
面番号   曲率半径  面間隔   光学材料    屈折率
1    23.3390    1.05     Ge         4.0064
*2    12.6966   14.64                1.0000
3    44.1116    1.53     Ge         4.0064
4   545.2040    0.27                1.0000
(絞り)5     INF       9.10                1.0000
6    37.4291    1.34     Ge         4.0064
*7    90.2795   11.51                1.0000
8     INF       1.00     Ge         4.0064
9     INF       1.00
【００３５】
面番号*2及び*7は、以下の非球面係数をもつ非球面である。
ε        A            B             C            D             E
面2  0.5600 0.00000E+000 6.79081E-005  4.16976E-007 6.09171E-009  8.09457E-012
面7  1.0000 0.00000E+000 2.17108E-005 -3.00226E-008 2.08797E-009 -1.37475E-011
【００３６】
第４実施形態の赤外線用光学系の本発明の条件式の値は以下の通りである。
ｆ1/ｆ2＝-0.63
R /ｆ＝ 1.84
【００３７】
（第５実施形態）
焦点距離 : f = 9.9mm(λ=10μm)
FNo = 1.0
画角（2ω）= 65°
【００３８】
第５実施形態の赤外線用光学系の光学緒元値は以下の通りである。
面番号   曲率半径  面間隔   光学材料    屈折率
1    24.0333    1.59     Ge         4.0064
*2    15.3736   17.13                1.0000
3    68.4731    2.09     Ge         4.0064
4  -556.1859    9.47                1.0000
(絞り)5     INF       3.81                1.0000
6    46.2005    1.69     Ge         4.0064
*7   129.1164   12.92                1.0000
8     INF       1.00     Ge         4.0064
9     INF       1.00                1.0000
【００３９】
面番号*2及び*7は、以下の非球面係数をもつ非球面である。
ε        A            B             C            D             E
面2  0.5988 0.00000E+000 2.75658E-005  1.25330E-007 1.91542E-012  6.12367E-012
面7  1.0000 0.00000E+000 9.38284E-006 -1.28500E-008 5.18894E-010 -3.13452E-012
【００４０】
第５実施形態の赤外線用光学系の本発明の条件式の値は以下の通りである。
ｆ1/ｆ2＝-0.81
R /ｆ＝ 1.55
【００４１】
（第６実施形態）
焦点距離 : f =11.9mm(λ=10μm)
FNo = 1.0
画角（2ω）= 53.8°
【００４２】
第６実施形態の赤外線用光学系の光学緒元値は以下の通りである。
面番号   曲率半径  面間隔   光学材料    屈折率
1    43.0880    1.99     Ge         4.0064
*2    22.3950   14.39                1.0000
3  1060.9337    2.79     Ge         4.0064
4   -79.3144   20.53                1.0000
(絞り)5     INF       2.56                1.0000
6    54.4795    2.09     Ge         4.0064
*7   294.3988   15.98                1.0000
8     INF       1.00     Ge         4.0064
9     INF       1.00                1.0000
【００４３】
面番号*2及び*7は、以下の非球面係数をもつ非球面である。
ε        A            B             C            D             E
面2  0.6663 0.00000E+000 1.14856E-005  1.00992E-008 2.12347E-011 -3.25577E-014
面7  1.0000 0.00000E+000 3.05662E-006 -3.28369E-009 3.54078E-011 -1.07228E-013
【００４４】
第６実施形態の赤外線用光学系の本発明の条件式の値は以下の通りである。
ｆ1/ｆ2＝-0.68
R /ｆ＝ 1.88
【００４５】
（第７実施形態）
焦点距離 : f = 6.4mm(λ=10μm)
FNo = 1.0
画角（2ω）= 100°
【００４６】
第７実施形態の赤外線用光学系の光学緒元値は以下の通りである。
面番号   曲率半径  面間隔   光学材料    屈折率
1    15.4071    1.07     Ge         4.0064
*2    10.3009   19.31                1.0000
3    47.4084    1.56     Ge         4.0064
4   628.1133    1.79                1.0000
(絞り)5     INF      11.18                1.0000
6   -22.4635    0.98     Ge         4.0064
7   -36.0056    0.20                1.0000
8    29.7926    1.76     Ge         4.0064
*9  8721.9772    9.05                1.0000
10     INF       1.00     Ge         4.0064
11     INF       1.00                1.0000
【００４７】
面番号*2及び*9は、以下の非球面係数をもつ非球面である。
ε        A            B             C             D             E
面2  0.9258 0.00000E+000 1.18552E-005  3.31986E-007 -3.46655E-009  3.98090E-011
面9  1.0000 0.00000E+000 3.24354E-005 -1.63403E-007  1.45827E-009 -7.16614E-012
【００４８】
第７実施形態の赤外線用光学系の本発明の条件式の値は以下の通りである。
ｆ1/ｆ2＝-0.72
R /ｆ＝ 1.60
【００４９】
（第８実施形態）
焦点距離 : f = 9.0mm(λ=10μm)
FNo = 1.0
画角（2ω）= 73.1°
【００５０】
第８実施形態の赤外線用光学系の光学緒元値は以下の通りである。
面番号   曲率半径  面間隔   光学材料    屈折率
*1    30.1754    1.49     Ge         4.0064
2    16.7735   11.66                1.0000
3  -406.4942    2.09     Ge         4.0064
4   -52.8352   16.71                1.0000
(絞り)5     INF       2.53                1.0000
6    35.4008    1.89     Ge         4.0064
*7   125.8017   11.43                1.0000
8     INF       1.00     Ge         4.0064
9     INF       1.00                1.0000
【００５１】
面番号*1及び*7は、以下の非球面係数をもつ非球面である。
ε         A             B             C            D             E
面1  0.2681 0.00000E+000 -8.63386E-006  1.13441E-008 1.72725E-010 -6.39603E-013
面7  1.0000 0.00000E+000  5.92759E-006 -1.85338E-008 3.31507E-010 -2.20547E-012
【００５２】
第８実施形態の赤外線用光学系の本発明の条件式の値は以下の通りである。
ｆ1/ｆ2＝-0.68
R /ｆ＝ 1.87
【００５３】
（第９実施形態）
焦点距離 : f = 7.5mm(λ=10μm)
FNo = 1.0
画角（2ω）= 100°
【００５４】
第９実施形態の赤外線用光学系の光学緒元値は以下の通りである。
面番号   曲率半径  面間隔   光学材料    屈折率
1    23.2363    1.22     Ge         4.0064
*2    14.5087   21.92                1.0000
3   258.1215    1.77     Ge         4.0064
4   -74.9484    2.03                1.0000
(絞り)5     INF      12.69                1.0000
6   -13.8143    1.11     Ge         4.0064
7   -15.4846    0.22                1.0000
8    26.4610    2.00     Ge         4.0064
9    49.1995   10.60                1.0000
10     INF       1.00     Ge         4.0064
11     INF       1.00                1.0000
【００５５】
面番号*2は、以下の非球面係数をもつ非球面である。
ε         A            B            C            D            E
面2  0.7308 0.00000E+000 3.60930E-005 1.08867E-007 2.77495E-009 6.80029E-012
【００５６】
第９実施形態の赤外線用光学系の本発明の条件式の値は以下の通りである。
ｆ1/ｆ2＝-0.74
R /ｆ＝ 1.94
【００５７】
（第１０実施形態）
焦点距離 : f = 6.8mm(λ=10μm)
FNo = 1.0
画角（2ω）= 100°
【００５８】
第１０実施形態の赤外線用光学系の光学緒元値は以下の通りである。
面番号   曲率半径  面間隔   光学材料    屈折率
1     24.9090    1.10     Ge         4.0064
*2     13.4847   11.42                1.0000
3   -189.9885    1.60     Ge         4.0064
4    -46.2580    9.60                1.0000
(絞り)5     INF       8.30                1.0000
6     29.9102    1.40     Ge         4.0064
*7     99.6599   11.39                1.0000
8      INF       1.00     Ge         4.0064
9      INF       1.00                1.0000
【００５９】
面番号*2及び*7は、以下の非球面係数をもつ非球面である。
ε         A            B             C            D             E
面2  0.5296 0.00000E+000 4.45131E-005  1.54085E-007 4.12168E-010  2.02237E-012
面7  1.0000 0.00000E+000 7.85313E-006 -1.83922E-008 1.41975E-010 -5.57451E-013
【００６０】
第１０実施形態の赤外線用光学系の本発明の条件式の値は以下の通りである。
ｆ1/ｆ2＝-0.52
R /ｆ＝ 1.99
【符号の説明】
【００６１】
STOP          絞り
IMG           結像
Ｌ１          第１レンズ群
Ｌ２          第２レンズ群
Ｌ３          第３レンズ群
Ｌ３１        第３レンズ群第１レンズ
Ｌ３２        第３レンズ群第２レンズ
【図１】
0005993604.tif 000003
【図２】
0005993604.tif 000004
【図３】
0005993604.tif 000005
【図４】
0005993604.tif 000006
【図５】
0005993604.tif 000007
【図６】
0005993604.tif 000008
【図７】
0005993604.tif 000009
【図８】
0005993604.tif 000010
【図９】
0005993604.tif 000011
【図１０】
0005993604.tif 000012
【図１１】
0005993604.tif 000013
【図１２】
0005993604.tif 000014
【図１３】
0005993604.tif 000015
【図１４】
0005993604.tif 000016
【図１５】
0005993604.tif 000017
【図１６】
0005993604.tif 000018
【図１７】
0005993604.tif 000019
【図１８】
0005993604.tif 000020
【図１９】
0005993604.tif 000021
【図２０】
0005993604.tif 000022